(57)【要約】【課題】セキュリティ効果を有するとともに、個々のユーザーに対して特定の情報を提供する可能な光学キットを提供すること。【解決手段】第１画像のパターンが設けられる領域とその他の領域とにおいて分子配向が相違する位相差層、および前記位相差層の一方の面に設けられた反射層を含む光学素子であって、潜像として第１画像を表示する、光学素子と、第２画像層を備え、偏光子を含む検証具とを備え、前記光学素子に前記検証具をかざすと、第１画像と第２画像の重ねあわせにより第３画像が表示される。【選択図】図１
2017203959.tif 000002
【特許請求の範囲】
【請求項１】
第１画像のパターンが設けられる領域とその他の領域とにおいて分子配向が相違する位相差層、および前記位相差層の一方の面に設けられた反射層を含む光学素子であって、潜像として第１画像を表示する、光学素子と、
第２画像層を備え、偏光子を含む検証具と、
を備え、
前記光学素子に前記検証具をかざすと、第１画像と第２画像の重ねあわせにより第３画像が表示されることを特徴とする、光学キット。
【請求項２】
前記第２画像層は、前記検証具に備えられているのではなく、前記位相差層上に、または前記位相差層と前記反射層との間に備えられていることを特徴とする、請求項１に記載の光学キット。
【請求項３】
前記検証具に第４画像層が備えられており、前記光学素子に前記検証具をかざすと、第３画像と第４画像の重ねあわせにより第５画像が表示されることを特徴とする、請求項２に記載の光学キット。
【請求項４】
前記光学素子は、前記位相差層と前記反射層との間に光配向層をさらに含み、前記光配向層は前記位相差層と接していることを特徴とする、請求項１から３のいずれかに記載の光学キット。
【請求項５】
第３画像および第５画像は、データキャリアを表示することを特徴とする、請求項１から４のいずれかに記載の光学キット。
【請求項６】
前記データキャリアは、一次元シンボルまたは二次元シンボルであることを特徴とする、請求項５に記載の光学キット。
【請求項７】
前記二次元シンボルは、ＱＲコードであることを特徴とする、請求項６に記載の光学キット。
【発明の詳細な説明】
【技術分野】
【０００１】
本発明は、光学技術に関し、特に、セキュリティ効果を有するとともに、個々のユーザーに対して特定の情報を提供することができる光学キットに関する。
【背景技術】
【０００２】
偽造防止技術には、一般のユーザーが偽造防止技術と認知でき、真偽判定できるいわゆるオバート技術と、特定のユーザーのみが偽造防止技術の存在を知り、真偽判定できるいわゆるコバート技術とがある。
【０００３】
コバート技術の１つとして、反射層の上に部分的に遅相軸の角度が異なる位相差層を形成した偏光潜像デバイスを用いる方法がある。このデバイスは、偏光フィルムを通して観察したときには、偏光フィルムの透過光軸と位相差層の遅相軸とのなす角度により、部分的に透過率が変わり、潜像を出現させる技術である。
【０００４】
近年では、偽造防止技術に、バーコードと呼ばれている一次元シンボルや、ＱＲコード（登録商標）に代表される二次元シンボルなどのデータキャリアを組み合わせて用いられることが多くなってきている。
【０００５】
例えば、上記の偏光潜像デバイスを用いる場合、潜像としてデータキャリアを表示させる方法がある（特許文献１）。この方法によれば、特定のユーザーのみがデータキャリアを利用することができる。
【先行技術文献】
【特許文献】
【０００６】
【特許文献１】特開平６−２８９３７４号公報
【発明の概要】
【発明が解決しようとする課題】
【０００７】
しかしながら、この方法では、潜像としてのデータキャリアから読み取れる情報は、固定される。このため、全てのユーザーに同一の情報を与える場合には、この方法は有効となるが、例えば、個々のユーザーに対して特定の情報を提供したい場合には、ユーザー毎にデバイスの設計変更が必要となる。この場合には、デバイスの量産化が困難で、高コストとなる。
【０００８】
したがって、本発明の目的は、セキュリティ効果を有するとともに、簡便に、個々のユーザーに対して特定の情報を提供することのできる技術を構築することにある。
【課題を解決するための手段】
【０００９】
本発明に係る光学キットは、第１画像のパターンが設けられる領域とその他の領域とにおいて分子配向が相違する位相差層、および前記位相差層の一方の面に設けられた反射層を含む光学素子であって、潜像として第１画像を表示する、光学素子と、第２画像層を備え、偏光子を含む検証具と、を備え、前記光学素子に前記検証具をかざすと、第１画像と第２画像の重ねあわせにより第３画像が表示されることを特徴とする。
【００１０】
本発明に係る光学キットでは、前記第２画像層が、前記検証具に備えられているのではなく、前記位相差層上に、または前記位相差層と前記反射層との間に備えられていてもよい。
【発明の効果】
【００１１】
本発明の光学キットは、セキュリティ効果を有するとともに、個々のユーザーに対して特定の情報を提供することができる。
【図面の簡単な説明】
【００１２】
【図１】（ａ）は、本発明の第１の実施形態に係る光学キットの一例を概略的に示す断面図であり、（ｂ）は、（ａ）に示した光学キットを構成する光学素子の断面図であり、（ｃ）は、（ａ）に示した光学キットを構成する検証具の断面図である。
【図２】図１（ｂ）に示す光学素子の変形例を概略的に示す断面図である。
【図３】（ａ）は、本発明の第１の実施形態に係る光学キットが表示する第３画像の一例であり、（ｂ）は、光学キットを構成する光学素子が潜像として表示する第１画像の一例であり、（ｃ）は、光学キットを構成する検証具が備える第２画像の一例である。
【図４】本発明の第２の実施形態に係る光学キットの一例を概略的に示す断面図である。
【発明を実施するための形態】
【００１３】
以下に、本発明の実施の形態について詳細に説明する。以下の説明において適宜図面を参照するが、図面に記載された態様は本発明の例示であり、本発明はこれらの図面に記載された態様に制限されない。なお、各図において、同様又は類似した機能を発揮する構成要素には同一の参照符号を付し、重複する説明を省略することがある。また、図面の寸法比率は、説明の都合上誇張されており、実際の比率とは異なる場合がある。
【００１４】
先ず、本発明の光学キットの第１の実施形態を説明する。
【００１５】
図１（ａ）は、本発明の第１の実施形態に係る光学キットの一例を概略的に示す断面図であり、図１（ｂ）は、図１（ａ）に示した光学キットを構成する光学素子の断面図であり、図１（ｃ）は、図１（ａ）に示した光学キットを構成する検証具の断面図である。
【００１６】
本発明の光学キット３０は、図１（ａ）に示すように、光学素子１０および検証具２０を備える。光学素子１０は、図１（ｂ）に示すように、位相差層２および位相差層２の一方の面に設けられた反射層４を含む。以下、位相差層２および反射層４について説明する。
【００１７】
＜光学素子＞
（位相差層）
位相差層２は、第１画像のパターンが設けられる領域とその他の領域とにおいて分子配向を相違させた層である。この分子配向の相違により、偏光子をかざして光学素子１０を観察した場合に、第１画像のパターンが設けられる領域とその他の領域とにおける光学効果（表示色）に違いが生じ、潜像としての第１画像を認識することができる。ここで、第１画像のパターンが設けられる領域とは、例えば、図３（ｂ）の右側に示した画像（ＱＲコード）において、黒色部分に対応する領域を意図しており、その他の領域とは、白色部分に対応する領域を意図している。
【００１８】
位相差層２は、種々の公知の方法により形成することができる。例えば、制限するわけではないが、光配向層上で液晶材料を配向させる方法により形成することができる。以下、この方法について説明する。
【００１９】
光配向層上で液晶材料を配向させる方法は、光配向法、ラビング配向法等を用いることができる。
【００２０】
光配向法の方法では、光配向層の材料として、感光性物質を使用する。
【００２１】
まず、感光性物質を塗布することにより、塗膜を形成する。次いで、第１画像パターンのフォトマスクを介して、塗膜に、偏光をパターン照射する。これにより、塗膜内の分子の再配列および異方的な化学反応などを誘起して、配光膜に異方性を付与する。この異方性付与には、例えば、アゾベンゼン誘導体の光二量化反応、桂皮酸エステル、クマリン、カルコン、ベンゾフェノンおよびこれらの誘導体等の光二量化反応又は光架橋反応、並びにポリイミドの光分解反応などが適用される。この異方性が付与された光配向層上に液晶材料を塗布することで、第１画像に対応する領域における液晶分子の配向が他の領域における配向と相違する位相差層２を形成することができる。
【００２２】
ラビング配向法は、光配向層を布で擦ることにより、擦った方向に光配向層表面の性質が変化し、この方向に液晶分子が並ぶという性質を利用したものである。
【００２３】
ラビング配向法において、光配向層の材料として、ポリイミド、ＰＶＡ等を用いることができる。
【００２４】
ラビング配向法では、先ず、光配向層上に、第１画像パターンに対応した部分を窓開きにしたマスクを置いて、その上から所望の方向にラビング処理を行う。次いで、この処理された光配向層上に液晶材料を塗布することで、第１画像に対応する領域における液晶分子の配向が他の領域における配向と相違する位相差層２を形成することができる。
【００２５】
なお、上記に説明した光配向法、ラビング配向法において、配向処理を施した光配向層上に、液晶材料を塗布した後、必要に応じて、熱処理に供することにより液晶材料の配向性を向上させることができる。
【００２６】
液晶材料としては、例えば、配向性を有している液晶ポリマー又はアクリル基等の反応性官能基を有している液晶モノマーを使用することができる。この液晶材料は、例えば、グラビアコーティング法およびマイクログラビアコーティング法などの公知の手法により光配向層上に適用することができる。なお、液晶材料として液晶モノマーを使用した場合には、光配向層上に液晶材料を適用した後に、電子線照射、紫外線照射、加熱およびこれらの組み合わせ等による硬化処理を行い、その配向を固定する。
【００２７】
以上の説明では、位相差層２の形成に光配向層を用いているが、光配向層を用いずに位相差層２を形成することができる。例えば、液晶材料を塗布して、塗膜を形成し、その上に、第１画像パターンに対応した部分を窓開きにしたマスクを置いて、その上から所望の方向にラビング処理を行うラビング法により位相差層２を形成することができる。
【００２８】
第１画像のパターンが設けられる領域とその他の領域とにおける液晶分子の配向方向は、潜像を表示させる際に使用する偏光子の種類、位相差層２の位相差値等に応じて適宜設定すればよい。例えば、偏光子として直線偏光子、位相差層２として位相差値が１／４λであるものを用いる場合において、第１画像のパターンが設けられる領域における液晶分子の配向方向と、その他の領域とにおける分子の配向方向とのなす角度を４５°となるように各液晶分子の配向方向を設定することができる。そして、このように分子配向された位相差層２を含む光学素子１０に、その他の領域における位相差層２の液晶分子の配向方向と、直線偏光子の偏光方向とが一致するように偏光子をかざすと、第１画像のパターンが設けられる領域が黒く（暗く）表示され、その他の領域が白く（明るく）表示される。
【００２９】
また、本発明では、偏光子の偏光方向を変化させて、第１画像の黒色部分（暗い部分）と白色部分（明るい部分）が反転（以下、ネガポジ反転とも称する）可能となるように、液晶分子の配向方向、位相差値等を適宜設定してもよい。例えば、上記に説明したとおり、偏光子として直線偏光子、位相差層２として位相差値が１／４λであるものを用いる場合において、その他の領域における位相差層２の液晶分子の配向方向と、直線偏光子の偏光方向とが一致するように偏光子をかざすと、第１画像のパターンが設けられる領域が黒く（暗く）表示され、その他の領域が白く（明るく）表示される。この例において、偏光子を水平方向に４５°回転させて、第１画像のパターンが設けられる領域における位相差層２の液晶分子の配向方向と、直線偏光の偏光方向とを一致させると、第１画像の黒色部分（暗い部分）と白色部分（明るい部分）が反転して、第１画像のパターンが設けられる領域が白く（明るく）表示され、その他の領域が黒く（暗く）表示される。
【００３０】
偏光子を水平方向に９０°回転させてネガポジ反転が可能となるには、例えば、偏光子として楕円偏光子（例えば、直線偏光子と位相差値が１／８λである位相差層とを組み合わせたもの）、位相差層２として位相差値が１／８λであるものを用い、第１画像のパターンが設けられる領域における液晶分子の配向方向と、その他の領域とにおける分子の配向方向とのなす角度を９０°となるように各液晶分子の配向方向を設定すればよい。
【００３１】
なお、上記の光配向層を用いた方法においては、光配向層自体が複屈折性を有していてもよい。この場合、光配向層の位相差値と位相差層２の位相差値との和が設計値となるように、各々の膜厚等を調整する。
【００３２】
また、位相差層２は、第１画像のパターンが設けられる領域およびその他の領域において、万線を設けて形成されてもよい。例えば、各領域における分子の配向方向と、万線の長さ方向が一致するように万線を設けることができる。ここで、万線の幅は、検証具をかざした際の万線潜像の視認性を考慮し、１０〜１０００μｍの範囲、好ましくは１０〜５００μｍの範囲とし、隣り合う万線の中心間距離は、任意に設定しても良いが万線比率（＝万線部／（万線部＋非万線部））が１／１０〜９／１０の範囲、好ましくは１／３〜２／３、さらに好ましくは比率が１／２であるため、２０〜２０００μｍの範囲、好ましくは２０〜１０００μｍの範囲とすることができる。
【００３３】
万線の形成は、例えば、上記の光配向層上で液晶材料を配向させる方法における光配向層の形成において、用いる第１画像パターンのフォトマスクとして、万線パターンを有するものを使用すればよい。
【００３４】
（反射層）
反射層４は、光を反射する層であり、例えば、金属層、合金層、又は高屈折率層である。
【００３５】
金属層の材料としては、例えば、アルミニウム、錫、銀、クロム、ニッケル、および金を使用することができる。合金層の材料としては、例えば、ニッケル−クロム−鉄合金などのインコネル、青銅、およびアルミ青銅を使用することができる。高屈折率層の材料としては、例えば、二酸化チタン、硫化亜鉛、および三酸化二鉄などの無機誘電体を使用することができる。反射層４として、高屈折率層と低屈折率層とを交互に積層してなる誘電体多層膜を使用してもよい。
【００３６】
反射層４は、位相差層２の一方の面の全体または一部を被覆するように設ける。
【００３７】
反射層４は、例えば、蒸着、スパッタリング、又はイオンプレーティングにより形成することができる。
【００３８】
以上に説明した光学素子１０は、潜像として第１画像を表示する。言い換えれば、光学素子１０の前面を直接に観察する場合には、第１画像を認識することはできないが、偏光子を介してその前面を観察すると、観察者は、第１画像を認識する。また、偏光子を水平方向に回転させて、第１画像をネガポジ反転した画像を表示してもよい。
【００３９】
次に、上記光学素子１０の変形例を説明する。本変形例は、上記光学素子１０の構成に加えて、凹凸構造形成層をさらに含んでいることに特徴を有する。図２は、図１（ｂ）に示す光学素子１０の変形例を概略的に示す断面図である。
【００４０】
図２に示す光学素子１０では、前面側（観察方向）から順に、位相差層２、光配向層３、反射層４が積層されており、さらに、反射層４に隣接するように凹凸構造形成層５が設けられている。これにより、反射層４と凹凸構造形成層５との界面では凹凸構造が形成されている。ここで、凹凸構造には、光の回折、散乱、干渉などの作用により所謂、構造色を発色することのできるあらゆる微細な構造が含まれる。典型的には、凹凸構造として、回折構造、特にホログラムまたは回折格子を挙げることができる。
【００４１】
凹凸構造形成層５は、公知の方法により製造できる。例えば、基材６上に、熱可塑性樹脂または光硬化性樹脂を塗布し、塗膜に、所望の凹凸形状を形成した金属製スタンパを密着させ、この状態で樹脂層を加熱するかまたは光を照射し、樹脂が硬化した後、硬化した樹脂から金属製スタンパを剥離することにより、凹凸構造形成層５を形成することができる。金属製スタンパは、例えば、フォトレジストが塗布された均一な膜厚の層に、ステッパー装置や電子線描画装置などで所望のパターンを描画し、現像処理を供して、原版を得、これを電鋳するにより形成することができる。
【００４２】
また、図２に示す光学素子１０では、さらに、凹凸構造形成層５の、反射層４とは反対側の面に基材（ポリエチレンテレフタレートフィルムなど）６、粘着層７、セパレータ８がこの順で設けられている。粘着層７およびセパレータ８は、光学素子１０をステッカーとして利用する場合に設けられる層である。
【００４３】
以上に説明した凹凸構造形成層５を設けた光学素子１０は、潜像としての第１画像に加えて、観察者が検証具２０を用いることなく目視により観察することができる模様、色彩等を表示する。このため、潜像としての第１画像のみを表示する光学素子１０と比較し、より偽造防止効果が高くなる。
【００４４】
次に、図１（ｃ）を参照して、光学キット３０を構成する検証具２０を説明する。
【００４５】
＜検証具＞
検証具２０は、第２画像層１４を備え、偏光子１２を含む。
【００４６】
偏光子１２は、直線偏光子、円偏光子および楕円偏光子のいずれであってもよい。また、偏光子１２は、吸収型偏光子および散乱型偏光子のいずれであってもよい。吸収型の直線偏光子１２としては、例えば、ポリビニルアルコール（ＰＶＡ）延伸フィルムにヨウ素を吸収させたＰＶＡ−ヨウ素型偏光子、二色性染料型偏光子、金属若しくは金属化合物含有型偏光子、又はポリエン型などの高分子多結晶型偏光子を用いることができる。
【００４７】
円偏光子および楕円偏光子は、偏光子１２に位相差層２を用いて形成することができる。例えば、直線偏光子と位相差層とを組み合わせることにより得ることができる。
【００４８】
第２画像層１４は、検証具２０に第２画像を設けるための層である。
【００４９】
第２画像層１４は、観察方向から、目視でまたは機械で読み取り可能であれば、用いる材料に制限はない。
【００５０】
第２画像層１４は、その形態に特に制限はなく、印刷等の方法により第２画像のパターンを形成したそのものであっても、印刷等の方法により第２画像のパターンが描かれた層（フィルム）であってもよい。第２画像層１４が、印刷等の方法により第２画像のパターンを形成したそのものである場合、検証具２０は、偏光子１２の一方の面に第２画像パターンを直接印刷することにより容易に形成することができるため好ましい。ここで、印刷方法としては、インクジェット印刷法など公知の方法を用いることができる。
【００５１】
検証具２０は、偏光子１２および第２画像層１４を積層して形成することができるが、観察方向から、第２画像層１４、偏光子１２の順としてもよいし、偏光子１２、第２画像層１４の順としてもよい。なお、偏光子１２、第２画像層１４の順に設ける場合には、観察方向から、第２画像が適切に表示されるように第２画像層１４を設ける必要がある。
【００５２】
次に、図３を参照して、本発明の光学キット３０等が表示する画像について説明する。
【００５３】
＜表示画像＞
図３は、本発明の光学キット３０、光学素子１０、検証具２０により表示される画像について説明するための概略図である。図中、左側には、（ａ）、（ｂ）、（ｃ）の順に、光学キット３０、光学素子１０、検証具２０の断面図が示されており、右側には、それらを観察方向からそれぞれ観察した場合に表示される画像（ＱＲコード）が示されている。
【００５４】
本発明の光学キット３０は、図３（ａ）に示すように、光学素子１０に検証具２０をかざすと、第３画像Ｉ3を表示する。これは、光学素子１０に検証具２０をかざすと、潜像としての第１画像Ｉ1が出現するが、同時に、出現した第１画像Ｉ1は、検証具２０に設けられた第２画像Ｉ2と重なるために、第３画像Ｉ3が形成されることによる。
【００５５】
表示される第３画像Ｉ3としては、図形、文字、もしくは記号またはこれらの組み合わせなどユーザーに提供するための情報となり得るあらゆるものが含まれる。例えば、第３画像Ｉ3として、データキャリアなどコードをあらわすパターンを表示してもよい。また、データキャリアとしては、例えば、一次元シンボル、二次元シンボルを挙げることができる。一次元シンボルおよび二次元シンボルにはそれぞれ、例えば、バーコードおよびＱＲコードが含まれる。
【００５６】
なお、光学素子１０を構成する位相差層２に、万線を設けた場合には、位相差層２に設けた万線と同一の幅および中心間距離の万線を、例えば、透明シートに印刷して、これを検証具２０と重ねあわせて、これを光学素子１０にかざすと、第３画像Ｉ3はより明瞭な画像として表示される。
【００５７】
次に、第１画像Ｉ1について説明する。
【００５８】
第１画像Ｉ1は、上記で説明したとおり、光学素子１０に検証具２０をかざした状態では、検証具２０に設けられた第２画像Ｉ2との重なりにより、第３画像Ｉ3が表示されるため、第１画像Ｉ1を視認することはできない。第１画像Ｉ1を視認するには、図３（ｂ）に示すように、第２画像Ｉ2を備えていない検証具２０、すなわち偏光子１２をかざせばよい。
【００５９】
第１画像Ｉ1としては、第３画像Ｉ3と同様に、図形、文字、もしくは記号またはこれらの組み合わせなどユーザーに提供するための情報となり得るあらゆるものが含まれる。しかしながら、第１画像Ｉ1は、第２画像Ｉ3との重ねあわせにより第３画像Ｉ3を形成するための画像でもあるため、必ずしも、ユーザーにとって読み取り可能な情報でなくてもよい。
【００６０】
また、第１画像Ｉ1は、ネガポジ反転可能な画像であってもよい。この場合には、光学素子１０は、第１画像Ｉ1と、第１画像Ｉ1のネガポジ反転した画像の２種類を潜像として表示する。そして、光学素子１０に検証具２０をかざして、第１画像Ｉ1のネガポジ反転した画像と、検証具２０に備えられた画像との重なりにより、第３画像Ｉ3とは相違する新たな画像を表示させてもよい。これにより、種々の情報をユーザーに提供することが可能となる。
【００６１】
第２画像Ｉ2は、検証具２０に備えられた画像であり、図３（ｃ）に示すように、偏光子１２なしで、観察方向から確認できる画像である。
【００６２】
第２画像Ｉ2としては、第１画像Ｉ1と同様、図形、文字、もしくは記号またはこれらの組み合わせなどユーザーに提供するための情報となり得るあらゆるものが含まれるが、必ずしも、ユーザーにとって読み取り可能な情報でなくてもよい。
【００６３】
第２画像Ｉ2は、簡便な方法、例えば、インクジェット印刷法を用いて、偏光子１２の一方の面上に印刷により形成することができる。このため、ユーザーごとに、検証具２０に設ける第２画像Ｉ2を相違させることが容易となる。また、用途にあわせて特定単位ごとに第２画像Ｉ2を変化させてもよい。これにより、第１画像Ｉ1との重ねあわせにより形成される第３画像Ｉ3も簡便に、種々変化させることができる。
【００６４】
ところで、第１画像Ｉ1から第３画像Ｉ3の設計および選定は、第１画像Ｉ1と第２画像Ｉ2の重ねあわせにより第３画像Ｉ3を形成するという観点から適宜行うことができる。例えば、まず、第３画像Ｉ3を設計し、第３画像Ｉ3を考慮して、次いで第１画像Ｉ1および第２画像Ｉ2を設計／選定すればよい。第１画像Ｉ1から第３画像Ｉ3として、読み取り可能なＱＲコードを表示させる場合には、以下のようにして第１画像Ｉ1から第３画像Ｉ3を設計することもできる。
【００６５】
まず、所望の情報がコードされるように、白および黒のセルを適宜組み合わせて、第１画像Ｉ1から第３画像Ｉ3の各画像に表示させるＱＲコードをそれぞれ作成する。ところで、本発明では、第１画像Ｉ1と第２画像Ｉ2を重ねあわせて第３画像を形成させるため、画像を構成するセルにおいて、白および黒の不一致が生じ得る。例えば、重ねあわせがなされる箇所に関して、第１画像Ｉ1において白のセルが割り当てられ、第２画像Ｉ2においても白のセルが割り当てられる場合には、第３画像Ｉ3において白のセルが割り当てられる必要があるが、実際には黒のセルが割り当てられている場合が存在し得る。かかる場合、ＱＲコードには、データに、例えば最大３０％の符号誤りが存在するとしても、デコードが可能なように誤り訂正符号（リードソロモン符号）による訂正機能が備えられているため、これを活用する。すなわち、上記のように、セルの白、黒の不一致が生じる箇所を、各ＱＲコードにおける誤り率が３０％を超えないように白黒の変換を行い、誤り訂正符号を用いて、当初に作成したＱＲコードを修正すればよい。これにより、第１画像Ｉ1から第３画像Ｉ3として、所望の情報がコードされたＱＲコードをそれぞれ作成することができる。
【００６６】
画像の読み取りは、人間による目視観察でもよいし、あるいは、機械読み取りであってもよい。
【００６７】
以上に説明した光学キット３０を用いて、ユーザーに対して情報閲覧の権限を設定することもできる。例えば、光学素子１０が表示する第１画像に汎用的な情報をもたせ、第３画像にセキュリティ情報をもたせる場合に、一般のユーザーには、第２画像を備えていない検証具を配布し、真贋判定や管理、特別な情報を閲覧する権限のあるユーザーには第２画像を備えた検証具２０を配布することにより、情報閲覧の権限を設定することができる。
【００６８】
次に、本発明の光学キット３０の第２の実施形態を説明する。下記において、第１の実施形態と相違する点のみ説明する。
【００６９】
第２の実施形態は、光学素子１０に第２画像層１４を設けたことに特徴を有する。図４は、本発明の第２の実施形態に係る光学キット３０の一例を概略的に示す断面図である。
【００７０】
図４に示された光学素子１０の例では、観察方向から順に、第２画像層１４、位相差層２、反射層４が設けられている。ここで、第２画像層１４は、位相差層２と反射層４との間に設けられていてもよい。第２画像層１４、位相差層２、反射層４の詳細については、第１の実施形態において説明したとおりである。また、第１の実施形態で説明したとおり、光学素子１０は、凹凸構造形成層などその他の層をさらに含んでいてもよい。
【００７１】
本実施形態においても、検証具２２は、偏光子１２を含んでいるが、図４に示す例のように、画像層を備えていなくてもよい。検証具２２に含まれる偏光子１２についても、第１の実施形態で説明したとおりである。
【００７２】
本実施形態では、光学素子１０は、第２画像層１４を有している。このため、検証具２２を用いずに光学素子１０を観察すると、第２画像を認識することができる。そして、光学素子１０に検証具２２をかざすと、潜像として第１画像が出現すると同時に、第２画像との重なりにより、結局、第３画像が表示されることとなる。
【００７３】
また、本実施形態の変形例として、検証具２２は、第４画像層を備えていてもよい。第４画像層は、第１の実施形態における第２画像層１４に対応し、例えば、検証具２２として、図１（ｃ）に示すものを用いることができる。これにより、図４に示す光学素子１０に、第４画像層を設けた検証具をかざすと、第３画像に、第４画像が重なりあった第５画像を表示することができる。ここで、第５画像は、第１の実施形態における第３画像に対応する。
【００７４】
以上のように、本発明の光学キットでは、光学素子が表示する画像と、検証具に備えられた画像と、光学素子が表示する画像と検証具に備えられた画像とを重ねあわせた画像とをそれぞれ表示させることができる。
【００７５】
また、光学素子および／または検証具に設ける画像層はその形成が容易なために、ユーザーごとに、または用途にあわせて特定単位ごとに、その画像を変化させることができる。これにより、セキュリティ情報として最も重要となる、光学キットが表示する画像を特定ユーザーごとに変化させることができる。
【００７６】
さらに、光学素子が、本来の潜像画像に加え、ネガポジ反転した画像も表示可能な場合には、これに対応して、光学キットが表示する画像についてもさらに変化させることが可能となる。
【００７７】
以上のようにして、本発明の光学キットは、セキュリティ効果を有するとともに、個々のユーザーに対して特定の情報を提供することができる。
【実施例】
【００７８】
以下、実施例を示して本発明を具体的に説明するが、本発明は、下記実施例に制限されるものではない。
【００７９】
＜光学キットの製造＞
（光学素子）
本実施例では、図２に示す光学素子を形成した。
【００８０】
厚さ３８μｍの基材（ポリエチレンテレフタレートフィルム）上に、アクリルポリオール樹脂ＭＣＡ４０４５と、硬化剤ＭＣＸ１０２（共にＤＩＣ株式会社製）配合した２液硬化型アクリルウレタン樹脂をグラビアコーティング法で１μｍの厚さで塗布した。次いで、この塗膜面に、凹凸形状を形成した金属製スタンパを密着させ、この状態で樹脂層を加熱し、樹脂が硬化した後、硬化した樹脂から金属製スタンパを剥離することにより、凹凸構造形成層を形成した。
【００８１】
次いで、凹凸構造形成層の凹凸面に、真空蒸着法にて５００Åのアルミニウムを蒸着させた。
【００８２】
さらに、上記に形成した積層体の反射層上に、マイクログラビアコーティング法により、光配向剤ＩＡ−０１（ＤＩＣ株式会社製）を０．１μｍの厚さで塗布した。次いで、この塗膜を、波長が３６５ｎｍの直線偏光を用いて、１Ｊ／ｃｍ2の照度でパターン露光した。このパターン露光には、第１画像のパターンに対応するフォトマスクを使用した。その後、先の塗膜の全面を、波長が３６５ｎｍの直線偏光を用いて、１Ｊ／ｃｍ2の照度で露光した。この露光は、直線偏光の偏光面が全面露光に使用した直線偏光の偏光面に対して４５°の角度差がつくように照射した。以上のようにして、配向方向が互いに異なる第１画像のパターン領域およびその他の領域を含んだ光配向層を得た。
【００８３】
次いで、マイクログラビアコーティング法により、光配向層上に、ＵＶキュアラブル液晶ＵＣＬ−００８（ＤＩＣ株式会社製）を０．８μｍの厚さで塗布し、熱風で、１分間加熱後、窒素雰囲気中、この塗膜を０．５Ｊ／ｃｍ2の照度で紫外線露光して、塗膜を硬化させ、位相差値が１／４λの位相差層を形成した。
【００８４】
次いで、セパレータ上に、アクリル樹脂からなる厚さが１８μｍの粘着層を形成し、これを、上記に形成した積層体の基材（ポリエチレンテレフタレートフィルム）上にラミネートし、光学素子を得た。
【００８５】
（検証具）
インクジェット印刷法により、偏光子上に第２画像を印刷した。偏光子は、ヨウ素含浸ＰＶＡ延伸タイプを使用した。
【００８６】
＜画像観察＞
光学素子に偏光子をかざして観察すると、第１画像を確認することができた。また、光学素子に偏光子をかざして観察すると、第１画像と第２画像の重ねあわせにより第３画像を確認することができた。
【符号の説明】
【００８７】
２          位相差層
４          反射層
１０        光学素子
１２        偏光子
１４        第２画像層
２０  ２２  検証具
３０        光学キット
【図１】
2017203959.tif 000003
【図２】
2017203959.tif 000004
【図３】
2017203959.tif 000005
【図４】
2017203959.tif 000006